(57)【要約】【課題】従来の本を携帯するための把持部付きブックカバーは、重い本を運搬する場合、本の重量による負荷がカバーの背表紙部分及び把持部とカバーの接合部分に集中するため、耐久性に問題があった。また、把持部とカバーの接合部分を接着剤や、鋲などの金属部品で接合する方法を採っていた為、耐久期間が短く、負荷によって鋲が取れて壊れる可能性があった。【解決手段】ブックカバー本体と把持部とが一体型の構造であり、把持部がブックカバー全体を一周するように直接接合されていることで、本の重量による負荷がカバー全体に分散されるため、カバー本体の耐久性を補強する機能を持ち、尚且つ素材には、軽く、加工しやすく、安価で、調達しやすく、多彩なデザインがあり、撥水性及び速乾性があり、汚れても洗えるような布地が用いられる。【選択図】図２
2010137531.tif 000002
【特許請求の範囲】
【請求項１】
ブックカバー本体に対して把持部がカバー全体を一周するように接合されていることで、カバー本体の耐久性を補強する機能を持つことを特徴とする把持部付きブックカバー。
【請求項２】
カバー本体及び把持部の素材には、軽く、加工しやすく、廉価で、調達しやすく、多彩なデザインがあり、撥水性及び速乾性があり、汚れても洗濯することが容易な布地を素材に用いることを特徴とし、金属部分を含まないことを特徴とする請求項１に記載の把持部付きブックカバー。
【発明の詳細な説明】
【技術分野】
【０００１】  本発明は、手提げ袋形状のブックカバーに関するものである。
【背景技術】
【０００２】  従来のブックカバーは、本の表紙や裏表紙をブックカバーに設けられたポケット部に挟み込んで使用する構造で、本の破損や汚れを防止するとともに、本の表紙等の露出を防ぐ等のプライバシー保護効果を有するものが公知である。【０００３】  特許文献１のように、ブックカバーに把持部を付けた場合、カバーの端に把持部を接着または鋲で留めて吊下するブックカバーがある。【０００４】  特許文献１のように、ブックカバーに把持部を付けた場合、把持部に角カン等を付けて着脱可能な構造にしたりするものがある。【０００５】  特許文献２のように、ストラップ形状の紐を利用してブックバンドとして本を束ねたり、バンド部分を直接持って本を持ち運んだりするものがある。【０００６】
【特許文献１】特開２００３−５４１５８号公報
【特許文献２】特開平９−２５１９号公報
【発明の開示】
【発明が解決しようとする課題】
【０００７】  従来は、把持部自体にブックカバーの強度を補強するような機能を持たせる構造の手提げ袋形状のブックカバーバッグは存在しなかった。【０００８】  従来は、本を収納、保護、又は運搬する手段として、把持部付きのブックカバー等があった。
しかし、従来の構造では重い本を運搬する場合に、本の重量がカバーの背表紙と、把持部とカバーの接合部分に集中するため、耐久性に難点があり、本の重量を支えるための把持部とカバーの接合部、カバー本体、及び把持部は丈夫な素材に限定されていた。【０００９】  従来の把持部付きブックカバーは、把持部とカバー本体を接着剤や、鋲等の金属部品で接合する方法を採っていたが、接着剤には耐久性の点で限界があり、鋲等は負荷が掛かり過ぎると取れて壊れたり、外れた鋲で怪我をしてしまったりする可能性もあった。【００１０】  上記の接着剤や、鋲などの金属部品が壊れて付け替える場合は、把持部と本体の接合部分を交換するため、経費と時間がかかってしまうという難点があった。【００１１】  従来の把持部付きブックカバーは、本の重量による負荷がカバー本体と把持部との接合部分にかかるため、重い本を携帯する場合には接合部分を頑丈かつ丈夫な素材を用いる必要があった。【００１２】  従来の把持部付きブックカバーは、素材や構造の特徴、付属品などが原因で嵩張るため、不使用時に小さく折り畳むことが難しかった。【００１３】  世間に広く流通している従来のブックカバーには、大抵、把持部が備えられておらず、本の表面を保護することが主たる目的となっていた。したがって、本を持ち歩く際は、ブックカバーを装着した状態で、手で抱えたり、鞄に収納したりし、読む度に鞄から取り出す手間がかかった。【００１４】  一般的に、文庫本等の比較的小さく重量が軽い本は、手で持ったり、鞄に入れたりする場合でも、さほどの不便さは感じられない。しかし、条文法令集、辞書、辞典等の厚みがあり、重量がある本に関しては、鞄に入れる場合に非常に重く、鞄に対して相当の負荷がかかることは否めない。また、本を直接手で持つ場合は重く嵩張ることから、非常に不便である。【００１５】  通勤や通学の時間を利用して、読書をしたり、受験勉強や資格試験の勉強をしたりする人がいるが、電車やバスでの移動中には、必ずしも座席に着席して本を読めるとは限らない。満員電車のようにすし詰め状態で、鞄の中から度々本を取り出して読書をすることは、非常に不便である。一方で、最初から手に持って移動すると両手が塞がるので危険である。【００１６】  国内、海外を問わず、旅行中はガイドブックを片手に持ったままで移動する人が多い。
これは、ガイドブックを参照する度に鞄等から取り出すと時間と手間がかかるためである。特に、旅先の不慣れな場所ではガイドブックを常時開いたままの状態で持ち歩きたいものである。さらに、旅先では土産店に立ち寄ったり、写真やビデオを撮影したりすることが多いので、ガイドブックを片手に持ったままの状態では、非常に不便である。【００１７】  従来、バンドによって本を束ねて携行するブックバンドと呼ばれるものがあったが、これは耐久性に優れる一方で、本の表面を保護する機能は兼ね備えていなかった。【００１８】  本発明は、これらの課題を鑑みてなされたものである。
【課題を解決するための手段】
【００１９】  本発明は、本を携帯するための把持部付きブックカバーであり、ブックカバー本体に対して把持部がカバー全体を一周するように接合されていて、カバー本体と把持部とが一体型の構造である。【００２０】  把持部はカバーに直接接合されているため、鋲等の金属部分を含まない構造である。【００２１】  把持部がブックカバー全体を一周する構造によって、本の重量による負荷がカバー全体に分散されるため、カバー本体の耐久性を補強する機能を持つ。【００２２】  本発明のカバー本体部分、または把持部の素材には、軽く、加工しやすく、安価で、調達しやすく、多彩なデザインがあり、撥水性及び速乾性があり、汚れても洗えるような布地を用いると機能的である一方、皮等の高級素材を使うことも可能である。
【発明の効果】
【００２３】  従来、本を携帯するための把持部付きブックカバーで、把持部とカバーが一体型の構造で、把持部がブックカバー全体を一周するように直接縫合されており、尚且つ金属部分を含まない構造で、把持部がカバー本体の耐久性を補強する機能を併せ持つ構造になっているような収納、保護、及び運搬を同時に出来る把持部付きブックカバーは存在しなかったため、前述のような問題点があった。本発明はこれらの問題点を一度に解決したものである。【００２４】  本発明のブックカバーの把持部はカバー全体を一周するように接合されていることによってカバー本体の強度を増すことが出来るため、把持部とカバー本体との接合部分及びカバー本体の背表紙部分に対する負荷を軽減することができる。【００２５】  従来の把持部付きブックカバーは、把持部とカバー本体との接合部分に接着剤や鋲等の金属部品を用いていたため、耐久性に難点があり、金属部品による事故が起きる可能性があったが、本発明は把持部とカバー本体部が縫合されることによって一体の構造となっているため、接着剤に含まれる成分によるアレルギーや、部品の欠落におけるトラブルを避けることができる。【００２６】  上記の接着剤や鋲などの金属部品が壊れて付け替える場合は、把持部とカバー本体との接合部の部品を交換するため、経費と時間を要するという難点も改善されている。【００２７】  従来の把持部付きブックカバーは、本の重量による負荷を把持部の接合部分とカバーの背表紙部分で支える構造のため、素材はある一定以上の耐久性を有するものに限定されていたが、本発明は、把持部がカバー全体を一周して補強の役割を果たす構造になっているため、素材に関しての選択の幅が広がる。【００２８】  従来の把持部付きブックカバーは、素材や構造の特徴、付属品などが阻害要因となり、不使用時に小さく折りたたむことが困難だったが、本発明は小さく折り畳んで携帯することができ、また、小さい子供が持ち歩くためのブックカバーとして使用する場合にも安全で最適な構造である。【００２９】  また、カバー部分と把持部ベルト部分とで構成される簡単な構造のため、従来のブックカバーと同じように使用したり、手で抱えたり、鞄に収納したりする等の応用が可能である。【００３０】  条文法令集、辞書、辞典等の厚く、重く、嵩張るような本を従来の把持部付きブックカバーで持ち運ぶ場合は、ブックカバー底面と把持部への負荷が過度にかかっていたが、本発明は、把持部がカバー全体を一周して補強の役割を果たす構造であるため、カバーの背表紙部分及び把持部の接合部分に対する負荷が少なくて済む。【００３１】  通勤や通学の時間を利用して、読書をしたり、受験勉強や資格試験の勉強をしたりする人がいるが、電車やバスでの移動中には、必ずしも座席に着席して本を読めるとは限らない。満員電車のようなすし詰め状態で、鞄の中から本を取り出して読書をすることは、非常に不便であるが、本発明は手や腕に吊り下げて移動が出来るので、即座に本を開いて読むことが可能である。【００３２】  国内、海外を問わず、旅行中はガイドブックを片手に持って移動する人が多いが、旅先では土産店に立ち寄ったり、写真やビデオを撮影したりするので、ガイドブックで片手が塞がる���非常に不便であるが、本発明は手や腕に吊り下げて移動が出来るので、即座に本を開いて読むことが可能である。
【発明を実施するための最良の形態】
【００３３】  本発明の実施の形態を図１から図８に基づいて説明する。【００３４】  図１は、１はブックカバー本体で、２はカバー本体に付属した把持部で、２の把持部がブックカバー全体を一周するように取り付けられている状態を表した図である。【００３５】  図２は、１はブックカバー本体で、２はカバー本体に付属した把持部で、１のブックカバー本体に３の本を装着した状態を表している。【００３６】  図３は、図２のようにカバーを装着した状態で本を開く様子を表した図である。【００３７】  図４は、カバーを装着して本を開いて読む際の状態を表している。【００３８】  図５は、本ブックカバーを閉じた状態を表した図である。【００３９】  図６は、本ブックカバーを開いた状態を表した図である。【００４０】  図７は、図５のブックカバーを腕に吊り下げようとしている状態を表している。【００４１】  図８は、図５のブックカバーを腕から吊り下げて移動、運搬する場合の実施例である。
【図面の簡単な説明】
【００４２】
【図１】本発明の外観図である。
【図２】本ブックカバーを本に装着した外観図である。
【図３】本ブックカバーを装着した本を開く際の外観図である。
【図４】本ブックカバーを装着した本を開いている状態の外観図である。
【図５】本ブックカバーを閉じた状態の外観図である。
【図６】本ブックカバーの外観図である。
【図７】図５のブックカバーを腕に吊り下げる場合の実施例である。
【図８】図５のブックカバーを腕に吊り下げて移動、運搬する際の実施例である。
【符号の説明】
【００４３】１  ブックカバー本体
２  把持部兼補強ベルト
３  本
【図１】
2010137531.tif 000003
【図２】
2010137531.tif 000004
【図３】
2010137531.tif 000005
【図４】
2010137531.tif 000006
【図５】
2010137531.tif 000007
【図６】
2010137531.tif 000008
【図７】
2010137531.tif 000009
【図８】
2010137531.tif 000010